(57)【要約】【課題】  従来、コイルのピッチを変えてインダクタンスを調整する場合、コイルの線径が太いために操作性が悪く、適切なインダクタンス値に設定することが困難であるという問題点があり、調整作業を容易とし、作業工数を低減するコイルのインダクタンス微調整構造を提供する。【解決手段】  プリント基板１０から垂直方向に突出した軸を備えた長ねじ端子１１を設け、コイル１２の両端に設けられたコイル端子１３が、長ねじ端子１１の軸上を移動可能とし、コイル端子１３の両側に設けられた２つのナット１４でコイル端子１３を長ねじ端子１１上の任意の位置で挟んで固定する構造としており、コイル端子１３からプリント基板１０の基板面までの長ねじ端子１１の軸の長さを増減することによって、インダクタンスを微調整するコイルのインダクタンス微調整構造である。【選択図】        図１
2008117843.tif 000002
【特許請求の範囲】
【請求項１】
プリント基板平面に対して垂直方向に軸を突出させて固定された２本の長ねじを備え、
コイルの端部を前記長ねじの軸に沿って上下方向に移動可能に固定させたことを特徴とするコイルのインダクタンス微調整構造。
【発明の詳細な説明】
【技術分野】
【０００１】
本発明は、ＶＨＦ帯のフィルタに用いられるコイルのインダクタンス微調整構造に係り、特にインダクタンスの調整作業を容易とし、作業工数を低減することができるコイルのインダクタンス微調整構造に関する。
【背景技術】
【０００２】
比較的高出力（１ｋＷ程度）用の従来のＶＨＦ帯フィルタ（ＬＰＦ；Low Pass Filter）について図６及び図７を使って説明する。図６は、従来のＶＨＦ帯フィルタの概略構成を示す平面断面図であり、図７は、側面断面図である。尚、図をわかりやすくするために、図６及び７ではシールドケース１の一部を省略して示している。
図６及び図７に示すように、従来のフィルタは、シールドケース２内に設けられたプリント基板２０上に、複数個のらせん状のコイル（ヘリカルコイル）が実装され、裏面にコンデンサ（図示せず）が実装された構成となっている。
【０００３】
ＶＨＦ帯用のフィルタでは、コイルは数ターンの空芯コイルであり、大電流に耐えるためコイルの線径は３ｍｍ程度となる。
このような構成のフィルタにおいて、フィルタ特性を調整するために、コイルのインダクタンスを微調整する必要がある。
【０００４】
図６及び図７に示した従来のＶＨＦ帯用フィルタにおける具体的なコイルの取り付け構造と、インダクタンスの微調整方法について説明する。
図６及び図７に示すように、従来のＶＨＦ帯用フィルタにおけるコイルの取り付け構造は、シールドケース２内に設けられた基板２０上に、複数のコイル２２が実装されており、各コイル２２は、コイル端子２３を介してねじ２１によってプリント基板２０に固定された構成となっている。
コイル端子２３を、ねじ２１の代わりに半田付けでプリント基板２０に固定することも可能である。
【０００５】
そして、コイルのインダクタンスを調整する場合には、ねじ止め又は半田付けでコイル２２を固定した状態で、コイル２２自体を変形させてコイルのピッチを変えることによりインダクタンスを調整するようになっている。
【０００６】
尚、コイルのインダクタンスの微調整に関する従来技術としては、平成１３年４月６日公開の特開２００１−９４３７５「同調周波数可変共振器及びこれを用いた同調周波数可変フィルタ」（出願人：株式会社日立国際電気、発明者：高橋宏寿）がある。
この従来技術は、ヘリカルコイルのリード線を挿通する穴の内径に向けてバネ部が形成されており、リード線を挿通してヘリカルコイルのピッチを可変調整するとき、バネ部がリード線を押圧することにより容易に調整作業を行うことができる同調周波数可変共振器であり、ヘリカルコイルのインダクタンスを微調整することができるものである（特許文献１参照）。
【０００７】
【特許文献１】特開２００１−９４３７５号公報
【発明の開示】
【発明が解決しようとする課題】
【０００８】
しかしながら、従来のインダクタンス微調整構造では、コイルのピッチを変えてインダクタンスを調整する場合、コイルの線径が太いために操作性が悪く、適切なインダクタンス値に設定することが困難であり、また、インダクタンスの調整範囲が狭く、コイル自体を巻き数や直径の異なるコイルに交換しなければならないこともあるという問題点があった。
【０００９】
本発明は上記実状に鑑みて為されたもので、簡単な構成で調整作業を容易とし、作業工数を低減すると共に、インダクタンスの調整範囲を広くすることができるコイルのインダクタンス微調整構造を提供することを目的とする。
【課題を解決するための手段】
【００１０】
上記従来例の問題点を解決するための本発明は、コイルのインダクタンス微調整構造において、プリント基板平面に対して垂直方向に軸を突出させて固定された２本の長ねじを備え、コイルの端部を当該長ねじの軸に沿って上下方向に移動可能に固定させたことを特徴としている。
【発明の効果】
【００１１】
本発明によれば、プリント基板平面に対して垂直方向に軸を突出させて固定された２本の長ねじを備え、コイルの端部を当該長ねじの軸に沿って上下方向に移動可能に固定させたコイルのインダクタンス微調整構造としているので、プリント基板からコイル端部までの長ねじの軸の長さを調整することでインダクタンスを増減させることができ、コイルのインダクタンス微調整作業を容易に行うことができる効果がある。
【発明を実施するための最良の形態】
【００１２】
［発明の概要］
本発明の実施の形態について図面を参照しながら説明する。
本発明の実施の形態に係るコイルのインダクタンス微調整構造は、プリント基板から垂直方向に突出した長い軸を備えた２本の長ねじをプリント基板に設置し、当該長ねじの軸に、コイルの端部に設けられた端子を２つのナットによって挟み込んで固定するものであり、コイルを長ねじの軸方向に沿って移動可能とし、プリント基板からコイルが固定されている部分までの長ねじの軸の長さを調整することによってインダクタンスを調整することができ、コイルのピッチを変化させるのに比べて容易にインダクタンスの微調整を行うことができるものである。
【００１３】
［第１の実施の形態：図１，２］
本発明の第１の実施の形態に係るコイルのインダクタンス微調整構造について図１及び図２を用いて説明する。図１は、第１の実施の形態に係るコイルのインダクタンス微調整構造の概略構成を示す平面図であり、図２は、側面図である。尚、図をわかりやすくするために、図１及び２ではシールドケース１の一部を省略して示している。
本発明の第１の実施の形態に係るコイルのインダクタンス微調整構造（第１の微調整構造）は、従来と同様にＶＨＦ帯のフィルタに用いられるものであり、図１及び図２に示すように、シールドケース１内に設けられたプリント基板１０に、複数のコイル１２が実装され、プリント基板裏面には複数のコンデンサ（図示せず）が実装されている。
【００１４】
図１，２の例では、コイル１２ａ、１２ｂ、１２ｃの３個のコイルが設けられており、各コイルは、従来と同様に、線径が約３ｍｍ程度の空芯コイルである。
【００１５】
そして、第１の微調整構造の特徴として、プリント基板１０の基板面に対して垂直方向に軸が長く突出した６本の長ねじ端子１１ａ〜１１ｆを備えており、各々のコイル１２ａ〜１２ｃの両端を２本の長ねじ１１に固定する構成となっている。
【００１６】
長ねじ１１は、プリント基板１０の裏側から挿入されて、長ねじ固定用のナット１５と長ねじ１１の頭部とでプリント基板１０を挟み込むことによってプリント基板１０に固定されている。
【００１７】
コイル１２の両端には、コイル１２を長ねじ端子１１に固定すると共に電気信号の入出力を行うためのコイル端子１３が設けられている。コイル端子１３の一端はコイル１２に接続され、他端には貫通孔（図示せず）が設けられ、長ねじ端子１１の軸が当該貫通孔を貫通している。
【００１８】
第１の微調整構造ではコイル１２のピッチを調整することなくインダクタンスを調整するものであり、長ねじ端子１１ａと１１ｂ、１１ｃと１１ｄ、１１ｅと１１ｆの間隔はコイル１２の長さによって決定され、長ねじ端子１１をプリント基板１０に取り付ける位置は予め決定でき、長ねじ端子１１の設置位置の調整作業は不要である。
【００１９】
そして、コイル端子１３は、それぞれ上下に設けられた２つのナット１４によって長ねじ端子１１の軸上に固定されており、ナット１４の位置を長ねじ端子１１の軸上を上下させることにより、コイル端子１３の位置を調整可能とするものである。
具体的には、上下２つのナット１４を回して、長ねじ端子１１の押さえつけを緩め、長ねじ１１の軸上を上下に動かして、適当な位置でナット１４を反対方向に回してコイル端子１３を再度挟み込んで固定することにより、コイル端子１３及びコイル１２を上下に移動させることができるようになっている。
【００２０】
そして、コイル端子１３の位置を調整することにより、プリント基板１０の面からコイル端子１３下部までの長ねじ端子１１の軸の長さ（コイル端子１３の高さ）を可変とすることができ、この長さによって伝送路の長さが変わり、見かけ上のコイルのインダクタンスを微調整することが可能となるものである。
【００２１】
ここで、コイル１２は、従来と同様に線径が３ｍｍほどであって、コイル自体の変形は困難であるため、コイル１２の位置を調整するためには、その両端に設けられているコイル端子１３が長ねじ端子１１上のほぼ同位置に来るように調整し、プリント基板１０の基板面に対してコイル１２がほぼ平行になるように調整することが望ましい。コイル１２自体が変形しやすい場合には、コイル１２の両端を移動させるのではなく、いずれか一方を上下させてインダクタンスの調整を行うことが可能である。
【００２２】
ナット１４を回してコイル端子１３の位置を調整する作業は、従来のコイル１２自体のピッチを変える調整に比べて大幅に作業が容易である上、調整量もわかりやすいため、正確で微妙なインダクタンス調整が可能となるものである。
【００２３】
具体的には、標準の実装状態からの調整であれば、ナット１４を回す方向及び回数によってコイル端子１３の高さが決まってインダクタンスが決定されるため、回転方向及び回数とインダクタンスの調整量とを対応付けておくと調整作業が一層容易且つ正確となり、作業効率を向上させるものである。
【００２４】
［第１の実施の形態の効果］
本発明の第１の実施の形態に係るコイルのインダクタンス微調整構造によれば、プリント基板１０から垂直方向に突出した軸を備えた長ねじ端子１１を設け、コイル１２の両端に設けられたコイル端子１３が、長ねじ端子１１の軸上を移動可能とし、コイル端子１３の両側に設けられた２つのナット１４でコイル端子１３を長ねじ端子１１上の任意の位置で挟んで固定する構造としているので、ナット１４を回転させて上下に移動させることにより、コイル端子１３の位置を長ねじ端子１１の軸上で任意に変えることができ、コイル端子１３からプリント基板１０の基板面までの長ねじ端子１１の軸の長さを増減することによって、インダクタンスを微調整することができ、コイルのインダクタンスの調整作業を大幅に簡略化することができる効果がある。
【００２５】
また、第１の微調整構造によれば、従来構造からのわずかな変更であって、簡易な構成であるため、装置コストの増大を防ぎつつ、コイルのインダクタンスを容易に微調整可能なフィルタを提供できる効果がある。
【００２６】
更に、第１の微調整構造によれば、標準の実装状態から、ナット１４をどの方向に、何回、回転させるかによってインダクタンスの微調整を行うものであるため、調整量の目安がわかり、正確且つ精度の高い微調整を可能とし、作業効率を向上させることができる効果がある。
【００２７】
更にまた、第１の微調整構造によれば、コイルのピッチを変えて調整する従来の方法に比べて、調整量を増大させることができるという効果がある。
【００２８】
尚、第１の微調整構造では、コイル端子１３をコイル１２とは別に設けているが、コイル１２の端部２を平らにつぶして、穴を形成し、当該穴に長ねじ端子１１の軸を貫通させる構成としてもよく、同様の効果が得られるものである。
【００２９】
［第２の実施の形態：図３，４］
次に、本発明の第２の実施の形態に係るコイルのインダクタンス微調整構造について図３及び図４を用いて説明する。図３は、第２の実施の形態に係るコイルのインダクタンス微調整構造の概略構成を示す平面図であり、図４は、側面図である。尚、図をわかりやすくするために、図３及び４ではシールドケース１の一部を省略して示している。
図３及び図４に示すように、第２の実施の形態に係るコイルのインダクタンス微調整構造（第２の微調整構造）は、シールドケース１内に設けられたプリント基板１０にコイル１２ａ、ｂ、ｃが設けられ、各コイル１２を、長ねじ端子１１によって支持している構成となっている点は第１の微調整構造と同様である。
【００３０】
第２の微調整構造の特徴部分は、コイル１２の両端部に、コイル１２を長ねじ端子１１の軸上に固定するための端子として、先端がクランプ状に形成された端子クランプ１６を備えている点であり、また、端子クランプ１６を、締め付けねじ１７によって長ねじ端子１１の軸に固定するようになっている点である。他の部分の構成は第１の微調整構造と同様である。
【００３１】
端子クランプ１６は、図３に示すように、先端部分にＵ字型の挟み部（クランプ）を備えており、このクランプで長ねじ端子１１の軸を挟むものである。
また、締め付けねじ１７は、図３に示すように、端子クランプ１６の側面に設けられた孔を貫通し、締め付けることにより、長ねじ端子１１の軸を端子クランプ１６に挟んだ状態で固定するものである。
【００３２】
つまり、第２の微調整構造では、締め付けねじ１７を緩めて端子クランプ１６を長ねじ端子１１の軸に沿って上下させ、適当なところで締め付けねじ１７を締めて端子クランプ１６を長ねじ端子１１上の任意の高さに固定するようになっている。
これにより、第１の微調整構造と同様に、端子クランプ１６の高さに相当する長ねじ端子１１の軸の長さに応じてインダクタンスが変わり、所望のフィルタ特性となるようにインダクタンスを微調整することができるものである。
【００３３】
特に、第２の微調整構造では、１つのコイル１２に対して調整する部分は２本の締め付けねじ１７だけであるため、４つのナット１４を調整する第１の微調整構造と比べても一層インダクタンスの調整作業を容易にすることができるものである。
【００３４】
更に、長ねじ端子１１の軸上に、目盛りを設けておく構成とすれば、端子クランプ１６の位置によってインダクタンスの調整量の目安が目盛りでわかるので、一層作業を容易とし、効率を向上させることができるものである。
【００３５】
［変形例：図５］
次に、第２の実施の形態に係る微調整構造の変形例として、コイルの端部に設けられた端子を、１本のねじによって長ねじ端子１１の軸に固定する別の例について図５を用いて説明する。図５（ａ）（ｂ）（ｃ）は、第２の微調整構造の変形例を示す平面図である。
第１の変形例は、図５（ａ）に示すように、端子クランプ１６の代わりに別のコイル端子１８を設けている。別のコイル端子１８は、長ねじ端子１１の軸が貫通する貫通孔と、貫通孔に直交し、コイル端子１８の側面部から貫通孔に向かって開けられたねじ穴とを備えている。
【００３６】
そして、コイル端子１８の貫通孔に長ねじ端子１１の軸を貫通させた状態で、コイル端子１８を所望の位置まで上下させ、所望の位置において、固定用ねじ１９をねじ穴に挿入して締め付ける。これにより、固定用ねじ１９の軸の先端が長ねじ端子１１の軸に強く押しつけられて、コイルが長ねじ端子１１の軸に固定されるようになっている。第１の変形例では、コイルの軸に対向する方向から固定用ねじ１９を挿入して固定するものである。
【００３７】
第１の変形例でも同様に長ねじ端子１１の軸に沿ってコイル端子１８を移動させることができ、プリント基板からコイル端子１８までの長ねじ端子１１の軸の長さに応じてコイルのインダクタンスを増減させて調整することができるものである。
【００３８】
第２の変形例は、図５（ｂ）に示すように第１の変形例とほぼ同様の構成であるが、コイル端子１８′の固定用ねじ１９のねじ穴が、長ねじ端子１１の軸が貫通する貫通孔の方向とコイルの軸方向の両方に直交する方向に設けられているものである。
第２の変形例では、隣接するコイルが長ねじ端子１１の軸上の同じような高さに位置していても、固定用ねじ１９の頭同士が隣接しないので、装置全体の小型化を図ることができるものである。
【００３９】
第３の変形例は、図５（ｃ）に示すように、長ねじ端子の軸の形状を変形し、長ねじ端子１１′としたものである。すなわち、軸の断面を単なる円形ではなく、円弧の一部を切り取った形状とし、長ねじ端子１の軸の一部に平面を設けたものである。そして、当該平面部分がコイル端子１８′のねじ穴に対向するように設けられている。
【００４０】
これにより、固定用ねじ１９によって締め付けたときに、固定用ねじ１９の軸と長ねじ端子１１′の軸との接触面積が大きくなり、確実に固定することができるものである。
第１〜第３の変形例は、いずれもコイル端子１８（１８′）を１本の固定用ねじ１９で長ねじ端子１１（１１′）に固定可能な構成であるため、インダクタンス調整の作業が容易である効果がある。
【００４１】
［第２の実施の形態の効果］
本発明の第２の実施の形態に係るコイルのインダクタンス微調整構造によれば、プリント基板１０から垂直方向に突出した軸を備えた長ねじ端子１１を設け、コイル１２の両端に設けられた端子クランプ１６が、長ねじ端子１１の軸を挟んで長ねじ端子１１の軸上を移動可能とし、端子クランプ１６の挟み部を貫通する締め付けねじ１７が端子クランプ１６を長ねじ端子１１上の任意の位置で固定する構造としているので、端子クランプ１６の高さを長ねじ端子１１の軸上で任意に変えることができ、端子クランプ１６からプリント基板１０の基板面までの長ねじ端子１１の軸の長さを増減することで、インダクタンスを微調整することができ、コイルのインダクタンスの調整作業を大幅に簡略化することができる効果がある。
【００４２】
また、第２の微調整構造によれば、調整箇所を少なくすることができ、作業工数を削減して調整作業を一層容易にすることができ、調整作業に係る時間を短縮することができる効果がある。
【００４３】
更に、長ねじ端子１１の軸に目盛りを設けておけば、インダクタンスの調整量の目安とすることができ、正確且つ精度の高い微調整を可能とし、且つ作業効率を向上させることができる効果がある。
【００４４】
また、第２の微調整構造の第１の変形例によれば、コイル端子１８に設けた貫通孔に長ねじ端子１１の軸を貫通させ、それに直交する向きに設けられたねじ穴に固定用ねじ１９を挿入して、固定用ねじ１９で長ねじ端子１１の軸を締め付けて固定する構成であるため、簡易な構成でコイル端子１８を長ねじ端子１１の軸に沿って上下に移動させることができ、簡単な操作でコイルのインダクタンスを微調整することができる効果がある。
【００４５】
また、第２の微調整構造の第２の変形例によれば、コイル端子の固定用ねじ１９を挿入するねじ穴の向きをコイルの軸及び長ねじ端子１１の軸とは直交する向きに設けているので、ねじ止めしたときに固定用ねじ１９の頭同士が隣接することがなく、装置の小型化を図ることができる効果がある。
【００４６】
更に、第２の微調整構造の第３の変形例によれば、長ねじ端子１１′の軸の一部に平面部を設け、平面部に対向する方向から固定用ねじ１９を挿入して締め付ける構成としているので、固定用ねじ１９の軸の先端と長ねじ端子１１′の側面との接触面積を大きくすることができ、簡易な構成でもコイル端子を確実に長ねじ端子１１′の軸上に固定することができる効果がある。
【産業上の利用可能性】
【００４７】
本発明は、インダクタンス調整作業を容易とし、作業工数を低減することができるコイルのインダクタンス微調整構造に適している。
【図面の簡単な説明】
【００４８】
【図１】第１の実施の形態に係るコイルのインダクタンス微調整構造の概略構成を示す平面図である。
【図２】第１の実施の形態に係るコイルのインダクタンス微調整構造の概略構成を示す側面図である。
【図３】第２の実施の形態に係るコイルのインダクタンス微調整構造の概略構成を示す平面図である。
【図４】第２の実施の形態に係るコイルのインダクタンス微調整構造の概略構成を示す側面図である。
【図５】（ａ）（ｂ）（ｃ）は、第２の微調整構造の変形例を示す平面図である。
【図６】従来のＶＨＦ帯フィルタの概略構成を示す平面断面図である。図７は、側面断面図である。
【図７】従来のＶＨＦ帯フィルタの概略構成を示す側面断面図である。
【符号の説明】
【００４９】
１，２…シールドケース、  １０，２０…プリント基板、  １１，１１′…長ねじ端子、  １２…コイル、  １３…コイル端子、  １４…ナット、  １５…長ねじ固定用ナット、  １６…端子クランプ、  １７…締め付けねじ、  １８，１８′…コイル端子、  １９…固定用ねじ
【図１】
2008117843.tif 000003
【図２】
2008117843.tif 000004
【図３】
2008117843.tif 000005
【図４】
2008117843.tif 000006
【図５】
2008117843.tif 000007
【図６】
2008117843.tif 000008
【図７】
2008117843.tif 000009